(57)【特許請求の範囲】
【請求項１】
折り畳まれて封書となるメールフォームであって、
第１基材部、第２基材部及び第３基材部で形成される基材と、
前記基材の表面の全面に形成され、前記基材が折り畳まれた後に、前記基材を封止する第１接着層と、
前記基材の表面に形成され、伝達情報を表示する情報表示領域と、
前記第１基材部、第２基材部及び第３基材部のいずれか１つの基材部の裏面に形成され、前記基材が折り畳まれた後に、前記第１接着層と共に前記基材を封止する第２接着層と、
前記基材の裏面に形成され、宛名を表示する宛名表示領域とを備えること
を特徴とするメールフォーム。
【請求項２】
請求項１に記載のメールフォームにおいて、
前記基材は、開封するときのきっかけとなる開封開始部を有すること
を特徴とするメールフォーム。
【請求項３】
請求項２に記載のメールフォームにおいて、
前記開封開始部は、前記第１接着層の上の所定位置に形成され、前記第１接着層の接着力を抑制する接着力抑制層であること
を特徴とするメールフォーム。
【請求項４】
請求項１から請求項３までのいずれか１項に記載のメールフォームにおいて、
前記基材は、ハガキ部を有すること
を特徴とするメールフォーム。
【発明の詳細な説明】
【０００１】
【発明の属する技術分野】
本発明は、宛名等を印字した後、折り畳まれて封止されることで、郵送可能な封書となるメールフォームに関するものである。
【０００２】
【従来の技術】
従来より、一枚の用紙基材からなり、宛名等の必要事項を印字した後に折り畳まれて封止されることで、郵送可能な封書となるメールフォームが知られている（実開平１−１１２９７８号公報，特開平７−４０６８５号公報，特許第２５２１４９８号公報等）。
これら従来のメールフォームは、裏表両面の所定位置に加圧されて接着する線状の接着部を有し、折り畳まれた後に、この接着部が加圧・接着されて封止され封書となる。
【０００３】
【発明が解決しようとする課題】
しかし、前述した従来のメールフォームは、プリンタ等で印字される際に紙詰まりを起こしやすいという問題点があった。
すなわち、メールフォームは、プリンタ等で印字される際、給紙トレイ等に多数枚セットされ、１枚ずつ給紙される。このとき、メールフォームに形成されている線状の接着部がある程度の厚みを有しているので、給紙されるメールフォームの接着部が、給紙トレイに残っているメールフォームの接着部に引っかかってしまって、うまく給紙されずに紙詰まりを起こしやすかった。
【０００４】
また、従来のメールフォームでは、メールフォーム基材の一部分に接着剤が塗布されると、その部分の吸湿・乾燥等によってシワが発生するという問題点もあった。特に、メールフォーム基材のある部分の裏表両面に接着剤が塗布されていると、その部分にシワが多く発生していた。
【０００５】
さらに、吸湿したメールフォームは、加圧接着される際に接着部近辺にシワ、ワレ等が発生する可能性があった。
すなわち、メールフォームの加圧接着の際、折り畳まれたメールフォームは一組のローラで挟まれて１ｔｏｎ／ｃｍ2 程度の圧力が加えられる。そのとき、メールフォームの厚さは元の厚さの６０％程度まで圧縮され、同時にメールフォームに延びが発生する。吸湿したメールフォームでは、この延びが一様でなく、その延びの差がメールフォーム端辺近辺まで及んで、接着されたときのシワになり、ときには、このシワから割れが発生することにもなる。
【０００６】
そのようなシワ等を防止するために、メールフォーム保管時の湿度等を厳しく管理しなければならなかった。
【０００７】
本発明の課題は、プリンタ等で印字する際に紙詰まりを起こしにくく、保管の際に湿度等を厳しく管理しなくても接着部近辺にシワ、ワレ等が発生しないメールフォームを提供することである。
【０００８】
【課題を解決するための手段】
前記課題を解決するために、請求項１の発明は、折り畳まれて封書となるメールフォームであって、第１基材部（１１−１）、第２基材部（１１−２）及び第３基材部（１１−３）で形成される基材（１１）と、基材（１１）の表面の全面に形成され、基材（１１）が折り畳まれた後に、基材（１１）を封止する第１接着層（１２）と、基材（１１）の表面に形成され、伝達情報を表示する情報表示領域（１１ａ）と、第１基材部（１１−１）、第２基材部（１１−２）及び第３基材部（１１−３）のいずれか１つの基材部の裏面に形成され、基材（１１）が折り畳まれた後に、第１接着層（１２）と共に基材（１１）を封止する第２接着層（１５）と、基材（１１）の裏面に形成され、宛名を表示する宛名表示領域（１１ｂ）とを備えることを特徴とするメールフォームである。
【０００９】
請求項２の発明は、請求項１に記載のメールフォームにおいて、基材（１１）は、開封するときのきっかけとなる開封開始部（１３）を有することを特徴とするメールフォームである。
【００１０】
請求項３の発明は、請求項２に記載のメールフォームにおいて、開封開始部（１３）は、第１接着層（１２）の上の所定位置に形成され、第１接着層（１２）の接着力を抑制する接着力抑制層であることを特徴とするメールフォームである。
【００１１】
請求項４の発明は、請求項１から請求項３までのいずれか１項に記載のメールフォームにおいて、基材は、ハガキ部（２６）を有することを特徴とするメールフォームである。
【００１２】
【発明の実施の形態】
以下、図面等を参照して、本発明の実施の形態について、さらに詳しく説明する。
（第１実施形態）
図１は、本発明によるメールフォームの第１実施形態を示す図であり、（Ａ）は表面図、（Ｂ）は裏面図、（Ｃ）は（Ａ）のＣ−Ｃ断面図である。
図２は、本発明によるメールフォームを使用して、封書を作製する際の折り畳み方法を示す図であり、図３は、折り畳まれたメールフォームを封緘方法を示す図である。
メールフォーム１０は、基材１１と、第１接着層１２と、開封開始部１３と、接着防止層１４と、第２接着層１５とを有する。
【００１３】
基材１１は、メールフォーム１０の担体となる基材である。基材１１には、例えば、連量１１０ｋｇ／四六程度の上質紙等の使用が好適である。
基材１１は、折り畳み予定線ｇ１，ｇ２で、第１基材部１１−１と、第２基材部１１−２と、第３基材部１１−３とに区画される。第１基材部１１−１の幅Ｗ１は、第２基材部１１−２の幅Ｗ２よりもやや小さく、第３基材部１１−３の幅Ｗ３と略同じである。
基材１１は、折り畳み予定線ｇ１，ｇ２で折り畳まれて（図２）、封書１になる。
基材１１は、側辺（図１（Ａ），（Ｂ）中、上下方向の辺）ｆ１，ｆ２に沿って形成された切り離し予定線ｈ１，ｈ２を有している。この切り離し予定線ｈ１，ｈ２は、例えば、ミシン目で形成されている。
【００１４】
基材１１の表面は、封書作製後、内側に隠蔽される面である。基材１１の表面は、封書受取人に対する伝達情報ａを表示する情報表示領域１１ａを有する。この伝達情報ａは、第１接着層１２の上にプリンタ等で印字される。
【００１５】
基材１１の裏面のうち、第１基材部１１−１と第２基材部１１−２の裏面は、封書作製後、外側に露出される面であり、封書受取人の宛名ｂを表示する宛名表示領域１１ｂを有している。この宛名ｂは、基材１１の上にプリンタ等で印字される。
【００１６】
基材１１の裏面のうち、第３基材部１１−３の裏面は、封書作製後、内側に隠蔽される面であり、封書受取人に対する伝達情報ｃを表示する情報表示領域１１ｃを有する。この伝達情報ｃは、基材１１の上にプリンタ等で印字される。
【００１７】
第１接着層１２は、基材１１の表面の全面に形成された接着層であり、圧力を加えることで、再剥離可能に接着する感圧接着剤が塗布されている。第１接着層１２は、基材１１が折り畳まれた後に、基材１１を封止する。
第１接着層１２は、例えば、特開平８−４８９５６公報で開示されている感圧接着剤を用いて形成することができる。
すなわち、天然ゴムラテックス等の接着主剤に、マイクロシリカ等の無機充填剤、コーンスターチ等の添加剤、γ−メルカプトプロピルトリメトキシシラン等のシランカップリング剤を一定割合で添加し、さらに必要に応じて、ポリビニルアルコール等のように、接着主剤と相溶性を有しない樹脂やその他の添加剤を添加して作製された接着剤を感圧接着剤として塗布し、再剥離可能な第１接着層１２を形成することができる。
【００１８】
開封開始部１３は、第２基材部１１−２の表面に、形成された開封開始部である。開封開始部１３は、切り離し予定線ｈ１，ｈ２に跨って、折り畳み予定線ｇ１に沿った部分に形成されている。開封開始部１３は、第１接着層１２の接着力を抑制するために、ベタ印刷又は網状印刷等により接着力抑制層が形成されている。開封開始部１３は、オフセット印刷で印刷するとよい。
【００１９】
接着防止層１４は、第３基材部１１−３の表面の所定位置に形成された接着防止層である。すなわち、接着防止層１４は、伝達情報ａ，ｃや宛名ｂが印字される前に、積まれたメールフォーム１０の第１接着層１２が、対向するメールフォーム１０−１の第２接着層１５と接着してしまうのを防止する層である。
接着防止層１４は、折り畳み予定線ｇ２に沿って形成された接着防止部１４−１と、側辺ｆ１と切り離し予定線ｈ１の間に形成された接着防止部１４−２と、側辺ｆ２と切り離し予定線ｈ２の間に形成された接着防止部１４−３と、を有する。
また、接着防止層１４は、前述のように積まれたメールフォーム同士の接着を防止する層であるため、接着防止層１４は、第２接着層１５と対応する位置に第２接着層１５よりも一回り広範囲に形成されている。
接着防止層１４は、シリカ系無機添加材を含む剥離用ニスを用いて形成するとよい。具体的には、ザ・インクテック製ＯＰニス等が好適に用いられる。
【００２０】
第２接着層１５は、第３基材部１１−３の裏面の所定位置に形成された接着層であり、圧力を加えることで接着する感圧接着剤が塗布されている。この感圧接着剤は、従来からメールフォームの線状接着部に使用されている感圧接着剤を用いるとよい。
第２接着層１５は、折り畳み予定線ｇ２に沿って点状に形成された接着部１５−１と、側辺ｆ１と切り離し予定線ｈ１の間に線状に形成された接着部１５−２と、側辺ｆ２と切り離し予定線ｈ２の間に線状に形成された接着部１５−３とを有する。
【００２１】
第２接着層１５は、基材１１が折り畳まれた後に、第１基材部１１−１の表面の第１接着層１２と接着して、基材１１を封止する。第２接着層１５のうち接着部１５−１は、点状接着部であって接着面積が小さいため、剥離可能に弱接着する。第２接着層１５のうち接着部１５−２，１５−３は、線状接着部であって接着面積が大きいため、剥離不能に強接着する。
【００２２】
なお、第２接着層１５が、第１基材部１１−１の表面の第１接着層１２と接着する接着強度をＡ、第１接着層１２が、第１接着層１２同士で接着する接着強度をＢとすると、Ａ≧Ｂの関係がある。
【００２３】
（作製方法）
メールフォーム１０は、以下のように作製する。
（１）基材１１の表面全面に、感圧接着剤を塗布して、第１接着層１２を形成する。
（２）（１）で第１接着層１２が形成された基材１１の裏面の所定位置に感圧接着剤を塗布して第２接着層１５を形成する。
（３）（２）で第２接着層１５が形成された基材１１の表面の所定位置に接着防止層１４を印刷する。
（４）（３）で接着防止層１４が印刷された基材１１の側辺ｆ１，ｆ２に沿って切り離し予定線ｈ１，ｈ２を形成する。
（５）（４）で切り離し予定線ｈ１，ｈ２が形成された基材１１の表面の所定位置に開封開始部１３を印刷する。
以上でメールフォーム１０が完成する。
【００２４】
（使用方法）
上記のようにして完成したメールフォーム１０は以下のように使用されて、封書１が作製される。
（１）メールフォーム１０は、給紙トレイ等に多数枚セットされ、１枚ずつ給紙されて、両面の所定位置に伝達情報ａ，ｃ、宛名ｂが印字される。
（２）（１）で伝達情報ａ等が印字されたメールフォーム１０は、図２に示すように、折り畳み予定線ｇ１，ｇ２で、第１基材部１１−１と第２基材部１１−２の裏面である宛名表示領域１１ｂが外側に露出され、第３基材部１１−３の裏面である情報表示領域１１ｃが内側に隠蔽されるように折り畳まれる。
（３）（２）で折り畳まれたメールフォーム１０は、図３に示すように、ローラｉで加圧されて封緘される。
以上で封書１が完成する。
【００２５】
上記のようにして作製された封書１は、以下のように使用される。
（１）封書１は、差出人から受取人に送られる。
（２）受取人に届けられた封書１は、切り離し予定線ｈ１，ｈ２で切断され、第２接着層１５の接着部１５−２，１５−３が分断される。
（３）接着部１５−２等が分断された封書１は、接着部１５−１が剥離されて、第１基材部１１−１が開かれる。
（４）第１基材部１１−１が開かれた封書１は、開封開始部１３から第３基材部１１−３が開かれて、伝達情報ａが目視可能になる。
【００２６】
本実施形態によれば、メールフォーム１０を封止する接着層は、メールフォーム表面全面に一様に塗布されているため、給紙されるメールフォームの接着層１２が、給紙トレイに残っているメールフォームの接着層１５に引っかかることがないので、紙詰まりをおこさない。
また、メールフォーム１０を封止する線状の接着層は、第３基材部１１−３の裏面のみにしか形成されていないので、メールフォーム１０を保管の際に湿度等を厳しく管理しなくても接着部近辺にシワ、ワレ等がほとんど発生しない。
さらに、第２基材部１１−２の幅Ｗ２は、第３基材部１１−３の幅Ｗ３よりもやや大きく形成され、開封開始部１３は、切り離し予定線ｈ１，ｈ２に跨って、折り畳み予定線ｇ１に沿った一部分に形成されているため、封書１を開封時に切り離し予定線ｈ１，ｈ２が切断されると、第３基材部１１−３の残った部分の角部は、第２基材部１１−２に接着されていないので、容易に開封できる。
【００２７】
（第２実施形態）
図４は本発明によるメールフォームの第２実施形態を示す表面図である。
なお、前述した従来例と同様の機能を果たす部分には、末尾が同一の符号を付して、重複する説明を適宜省略する。
メールフォーム２０は、第２基材部２１−２にハガキ部２６を有している。メールフォーム２０は、ミシン目加工された折り畳み予定線ｇ１，ｇ２を有している。
第２基材部２１−２は、切り離し予定線ｈ１と平行に、ミシン目加工された切り離し予定線ｈ３を有している。
ハガキ部２６は、切り離し予定線ｈ１，ｈ３と、折り畳み予定線ｇ１，ｇ２とで区画されている。ハガキ部２６は、例えば、返信用ハガキとして使用するとよい。
【００２８】
本実施形態によれば、メールフォーム２０はハガキ部２６を有しているので、メールフォーム受取人からの返信が期待できる。
【００３５】
（変形形態）以上説明した実施形態に限定されることなく、種々の変形や変更が可能であって、それらも本発明の均等の範囲内である。例えば、開封開始部は、図５に示すように、メールフォーム４０の第３基材部４１−３の一部を切り欠いた開封開始部４３であって
もよい。このようにすれば、開封人が開封開始部４３の位置を確認しやすい。また、メールフォーム１０において、開封開始部１３は、第３基材部１１−３の表面に、切り離し予定線ｈ１，ｈ２に跨って、地辺ｅ２に沿った一部分に形成されていてもよい。さらに、情報表示領域は基材と第１接着層との間に形成されていてもよい。さらにまた、基材はさらに多くの基材部が連接された基材であってもよい。
【００３６】
以下、実施例により本発明を詳細に説明する。
【００３７】
【実施例】
（１）あらかじめ、表面に感圧接着剤が塗布されて、第１接着層１２が形成されているＡ４シートカット紙を基材１１として用意する。
なお、基材１１のベースとなる用紙は、連量１１０ｋｇ／四六程度の上質紙であり、特開平８−４８９５６公報で開示されている感圧接着剤を１０ｇ／ｍ2 以下塗布してあるものをＡ４サイズにカットしてある。用紙厚み２００μｍ程度である。
（２）（１）で用意された基材１１の両面の情報表示領域１１ａ，１１ｃ、宛名表示領域１１ｂの背景を単色で印刷する。このとき、水色等で印刷すると、後工程で印字する伝達情報ａ等が見やすい。
（３）（２）で情報表示領域１１ａ等の背景が印刷された基材１１の裏面の所定位置に感圧接着剤を塗布して第２接着層１５を形成する。
この感圧接着剤は、従来からメールフォームの線状接着部に使用されている感圧接着剤を用いるとよい。
（４）（３）で第２接着層１５が形成された基材１１の表面の所定位置に接着防止層１４を印刷する。
この接着防止層１４は、シリカ系無機添加剤を含む剥離用ニスが好適であり、本実施例では、ザ・インクテック製ＯＰニスを用いた。
（５）（４）で接着防止層１４が印刷された基材１１の側辺ｆ１，ｆ２に沿ってミシン目加工を施し、切り離し予定線ｈ１，ｈ２を形成する。
ここで、ミシン目のカット比は、カット２．０ミリ／アンカット１．０ミリで加工した。
（６）（５）で切り離し予定線ｈ１，ｈ２が形成された基材１１の表面の所定位置に開封開始部１３をオフセット印刷で印刷する。
（７）（６）で開封開始部１３が印刷された基材１１に、富士ゼロックス社製Ｘ−４６６０プリンタを使用して、伝達情報ａ，ｃ、宛名ｂを印字する。
（８）（７）で伝達情報ａ等が印字された基材１１に、ＤＮＰ社製ＭＳ５５１０を使用して、折り畳み予定線ｇ１，ｇ２で、第１基材部１１−１と第２基材部１１−２の裏面が外側に露出されるように折り畳み、加圧して封緘する。
ここで、ＤＮＰ社製ＭＳ５５１０のシールギャップ目盛りは３０にする。このとき、封緘時の加圧力は８００ｋｇ〜１０００ｋｇ／ｃｍ2 程度である。
以上で、封書１が完成した。
【００３８】
【発明の効果】
以上詳しく説明したように、請求項１の発明によれば、基材を封止する第１接着層が前記基材の表面全面に形成されているので、プリンタ等で給紙される際に紙詰まりが発生しない。また、基材に形成されている線状接着層が少ないので、メールフォームを保管の際に湿度等を厳しく管理しなくても接着部近辺にシワ、ワレ等がほとんど発生しない。
【００３９】
請求項２の発明によれば、開封開始部を有するので、封書の開封が、容易である。
【００４０】
請求項３の発明によれば、開封開始部は、第１接着層の接着力を抑制する接着力抑制層であるので、印刷により容易に形成できる。
【００４１】
請求項４の発明によれば、ハガキ部を有しているので、メールフォーム受取人からの返信が期待できる。
【図面の簡単な説明】
【図１】本発明によるメールフォームの第１実施形態を示す図である。
【図２】本発明によるメールフォームを使用して、封書を作製する際の折り畳み方法を示す図である。
【図３】折り畳まれたメールフォームを封緘方法を示す図である。
【図４】本発明によるメールフォームの第２実施形態を示す表面図である。
【図５】本発明によるメールフォームのその他の実施形態を示す表面図である。
【図１】
0003930626.tif 000002
【図２】
0003930626.tif 000003
【図３】
0003930626.tif 000004
【図４】
0003930626.tif 000005
【図５】
0003930626.tif 000006